(57)【要約】【課題】小型または簡易な構成で様々なパターンを表示することが可能な電気泳動素子およびそのような電気泳動素子を用いた表示装置を提供する。【解決手段】この電気泳動素子は、筐体と、筐体の内部に封止されると共に、泳動粒子を含む表示体と、表示体に電圧を印加するための第１電極および第２電極とを備えたものである。【選択図】図１
2017223830.tif 000002
【特許請求の範囲】
【請求項１】
筐体と、
前記筐体の内部に封止されると共に、泳動粒子を含む表示体と、
前記表示体に電圧を印加するための第１電極および第２電極と
を備えた
電気泳動素子。
【請求項２】
前記筐体の上部を封止すると共に前記第２電極を有する基板を備え、
前記第１電極は、前記筐体内の底部に配置され、
前記第２電極は、前記基板の前記表示体の側に配置されている
請求項１に記載の電気泳動素子。
【請求項３】
前記筐体は導電性を有し、
前記第２電極は、前記筐体と電気的に接続されている
請求項２に記載の電気泳動素子。
【請求項４】
前記筐体の底部に設けられた開口部と、
前記開口部を介して前記第１電極と電気的に接続された第１の端子部と、
前記筐体と電気的に接続された第２の端子部と
を有する
請求項３に記載の電気泳動素子。
【請求項５】
前記筐体の表面のうちの前記第２電極および前記第２の端子部との接点を除いた部分は、絶縁膜により覆われている
請求項４に記載の電気泳動素子。
【請求項６】
前記第１および第２の端子部は、前記筐体の同一面に配置されている
請求項４に記載の電気泳動素子。
【請求項７】
前記第１の端子部は、前記第１電極と一体的に構成されている
請求項４の記載の電気泳動素子。
【請求項８】
前記第１電極は、前記第１の端子部が前記筐体の開口部に嵌め込まれた状態で、前記筐体の底部に配置されている
請求項７に記載の電気泳動素子。
【請求項９】
前記第２の端子部は、前記筐体と一体的に構成されている
請求項４に記載の電気泳動素子。
【請求項１０】
１または複数の電気泳動素子を備え、
前記複数の電気泳動素子のそれぞれは、
筐体と、
前記筐体の内部に封止されると共に、泳動粒子を含む表示体と、
前記表示体に電圧を印加するための第１電極および第２電極と
を有する
表示装置。
【請求項１１】
各電気泳動素子では、
前記筐体の上部を封止すると共に前記第２電極を有する基板を備え、
前記第１電極は、前記筐体内の底部に配置され、
前記第２電極は、前記基板の前記表示体の側に配置されている
請求項１０に記載の表示装置。
【請求項１２】
前記筐体は導電性を有し、
前記第２電極は、前記筐体と電気的に接続されている
請求項１１に記載の表示装置。
【請求項１３】
前記筐体の底部に設けられた開口部と、
前記開口部を介して前記第１電極と電気的に接続された第１の端子部と、
前記筐体と電気的に接続された第２の端子部と
を有する
請求項１２に記載の表示装置。
【請求項１４】
基材上に形成されると共に、互いに異なる電圧供給部に接続される第１および第２の配線を備え、
各電気泳動素子の前記第１の端子部は、前記第１および第２の配線のうちの一方の配線に接続され、前記第２の端子部は、前記第１および第２の端子部のうちの他方の配線に接続されている
請求項１３に記載の表示装置。
【請求項１５】
前記基材は、可撓性を有する
請求項１４に記載の表示装置。
【請求項１６】
基材上に形成されると共に、互いに異なる電圧供給部に接続される第１および第２の配線と、
それぞれが、泳動粒子を含む表示体と、前記表示体に電圧を印加するための第１電極および第２電極とを有する１または複数の表示ユニットと
を備え、
前記第１および第２の配線は全体として、複数の端子接続部を有し、
前記表示ユニットは、前記第１電極および前記第２電極に電気的に接続された第１および第２の端子部を有し、
前記第１および第２の端子部は、前記複数の端子接続部のうちの選択的な組み合わせの第１および第２の端子接続部に対して着脱可能に接続される
表示装置。
【請求項１７】
前記第１および第２の端子部は、前記表示ユニットの回転によって、前記複数の端子接続部のそれぞれに対応する位置に対向するように配置されている
請求項１６に記載の表示装置。
【請求項１８】
前記第１および第２の端子部はそれぞれ、各表示ユニットの同一の面に設けられると共に、該面内において前記第１および第２の端子部を結ぶ線分が、前記第１および第２の配線の延在方向と平行となるか、または前記延在方向と交差するように、前記第１および第２の端子接続部に接続される
請求項１６に記載の表示装置。
【請求項１９】
各表示ユニットの前記第１および第２の端子部が設けられる面の形状は、回転対称図形を有する
請求項１６に記載の表示装置。
【請求項２０】
前記基材上形成されると共に、前記第１および第２の配線とは異なる電圧供給部に接続された第３の配線を更に備え、
前記表示ユニットは、前記第１電極の一部が電気的に分離されてなる電極部分と、前記電極部分に電気的に接続された第３の端子部とを有し、
前記第３の配線には、前記第３の端子部と着脱可能に接続される第３の端子接続部が設けられている
請求項１６に記載の表示装置。
【発明の詳細な説明】
【技術分野】
【０００１】
本開示は、泳動粒子を含む電気泳動素子、およびこれを用いた表示装置に関する。
【背景技術】
【０００２】
電気泳動型の表示装置（ＥＰＤ：Electric Phoretic Display）では、透明電極と駆動電極間に電圧に印加される電圧に応じて泳動粒子が透明電極側もしくは駆動電極側に移動することで、表示面（透明電極側の面）から見える色を変化させることができる。また、そのような表示状態が電力をオフにした状態でも維持されることが特徴である。この電気泳動型の表示装置について様々な技術が提案されている（例えば、特許文献１）。
【先行技術文献】
【特許文献】
【０００３】
【特許文献１】特表２００２−５３２７５６号公報
【発明の概要】
【発明が解決しようとする課題】
【０００４】
このような電気泳動型の表示装置では、小型または簡易な構成で、電気泳動素子を容易に実装（配線接続）して、様々なパターンを表示できることが望まれている。
【０００５】
小型または簡易な構成で、様々なパターンを表示することが可能な電気泳動素子および表示装置を提供することが望ましい。
【課題を解決するための手段】
【０００６】
本開示の一実施の形態の電気泳動素子は、筐体と、筐体の内部に封止されると共に、泳動粒子を含む表示体と、表示体に電圧を印加するための第１電極および第２電極とを備えたものである。
【０００７】
本開示の一実施の形態の第１の表示装置は、１または複数の上記本開示の一実施の形態の電気泳動素子を備えたものである。
【０００８】
本開示の一実施の形態の電気泳動素子および第１の表示装置では、表示体と、この表示体に電圧を印加するための第１電極および第２電極とを備え、表示体が電気泳動素子の筐体の内部に封止されている。これにより、表示体を基板間に挟むと共に、表示体の外周をシールして封止する構成に比べ、外周部分（額縁）を狭小化しつつ、第１電極および第２電極に対する配線接続が容易となる。
【０００９】
本開示の一実施の形態の第２の表示装置は、基材上に形成されると共に、互いに異なる電圧供給部に接続された第１および第２の配線と、それぞれが、泳動粒子を含む表示体と、表示体に電圧を印加するための第１電極および第２電極とを有する１または複数の表示ユニットとを備えたものである。第１および第２の配線は全体として複数の端子接続部を有し、表示ユニットは、第１電極および第２電極に電気的に接続された第１および第２の端子部を有し、第１および第２の端子部は、複数の端子接続部のうちの選択的な組み合わせの第１および第２の端子接続部に対して着脱可能に接続される。
【００１０】
本開示の一実施の形態の第２の表示装置では、表示ユニットの第１および第２の端子部が、基材上に形成された第１および第２の配線の複数の端子接続部のうちの選択的な組み合わせの第１および第２の端子接続部に対して着脱可能に接続される。これにより、ユーザは、表示ユニット毎に、第１および第２の配線と第１および第２の端子部との接続の組み合わせを自由に設定（または変更）することができる。
【発明の効果】
【００１１】
本開示の一実施の形態の電気泳動素子および第１の表示装置によれば、表示体と、この表示体に電圧を印加するための第１電極および第２電極とを備え、表示体が電気泳動素子の筐体の内部に封止されている。これにより、表示体を基板間に挟むと共に、表示体の外周をシールして封止する構成に比べ、外周部分（額縁）を狭小化しつつ、第１電極および第２電極に対する配線接続を確保することができる。また、電気泳動素子毎に配線接続を行うことができるので、電気泳動素子毎に表示体への印加電圧を設定することができる。よって、小型化を実現しつつ、様々なパターンを表示可能となる。
【００１２】
本開示の一実施の形態の第２の表示装置によれば、表示ユニットの第１および第２の端子部が、基材上に形成された第１および第２の配線の複数の端子接続部のうちの選択的な組み合わせの第１および第２の端子接続部に対して着脱可能に接続される。これにより、実装時には、表示ユニット毎に、第１および第２の配線と第１および第２の端子部との接続の組み合わせを自由に設定（または変更）することができる。このため、表示ユニット毎に表示体への印加電圧を設定することができる。また、第１および第２の配線への供給信号を変更することなく、表示ユニットへの印加電圧を切り替えることができる。よって、簡易な構成で、様々なパターンを表示可能となる。
【００１３】
尚、上記内容は本開示の一例である。本開示の効果は、上述したものに限らず、他の異なる効果であってもよいし、更に他の効果を含んでいてもよい。
【図面の簡単な説明】
【００１４】
【図１】本開示の第１の実施の形態の表示装置の構成を表す模式図である。
【図２】図１に示したＥＰＤチップの構成を表す斜視図である。
【図３】図１に示したＥＰＤチップの構成を表す断面図である。
【図４】図１に示した表示装置の断面構成を表す模式図である。
【図５】図１に示した表示装置の平面構成を表す模式図である。
【図６Ａ】図１に示したＥＰＤチップの製造方法の一工程を説明するための断面図である。
【図６Ｂ】図６Ａの工程に対応する平面図である。
【図７】図６Ａに続く工程を説明するための断面図である。
【図８】図７に続く工程を説明するための断面図である。
【図９】図８に続く工程を説明するための断面図である。
【図１０】図９に続く工程を説明するための断面図である。
【図１１】表示の一例を説明するための模式図である。
【図１２】表示の一例を説明するための模式図である。
【図１３】比較例１に係る表示装置の構成を説明するための平面模式図である。
【図１４】図１３に示した表示装置の構成を表す断面図である。
【図１５】図２および図３に示したＥＰＤチップの効果を説明するための平面模式図である。
【図１６】本開示の第２の実施の形態に係る表示装置の概略構成を表す断面図である。
【図１７】図１６に示した表示ユニットの構成を表す断面図である。
【図１８】図１６に示した配線シートの構成を表す平面模式図である。
【図１９】図１６に示した表示ユニットの端子接続側の面の構成を表す平面模式図である。
【図２０Ａ】表示ユニットの端子部と配線の端子接続部の一例を表す断面模式図である。
【図２０Ｂ】表示ユニットの端子部と配線の端子接続部の他の例を表す断面模式図である。
【図２１Ａ】表示ユニットと配線との接続の組み合わせを説明するための模式図である。
【図２１Ｂ】表示ユニットと配線との接続の組み合わせを説明するための模式図である。
【図２１Ｃ】表示ユニットと配線との接続の組み合わせを説明するための模式図である。
【図２２】表示ユニットの配線接続の例を表す模式図である。
【図２３】比較例２に係る表示ユニットの構成を表す斜視図である。
【図２４】図２３に示した表示ユニットの実装について説明するための模式図である。
【図２５】図２３に示した表示ユニットを用いた駆動について説明するための模式図である。
【図２６】図１６に示した表示ユニットと配線シートとを用いた表示パターンの一例を表す模式図である。
【図２７】変形例１に係る表示ユニットの構成を表す断面図である。
【図２８】図２７に示した表示ユニットの端子接続側の面の構成を表す平面模式図である。
【図２９Ａ】図２７に示した表示ユニットと配線との接続の組み合わせを説明するための模式図である。
【図２９Ｂ】図２７に示した表示ユニットと配線との接続の組み合わせを説明するための模式図である。
【図２９Ｃ】図２７に示した表示ユニットと配線との接続の組み合わせを説明するための模式図である。
【図３０】変形例２−１に係る表示ユニットと配線との接続の組み合わせを説明するための模式図である。
【図３１】変形例２−２に係る表示ユニットと配線との接続の組み合わせを説明するための模式図である。
【図３２】変形例２−３に係る表示ユニットと配線との接続の組み合わせを説明するための模式図である。
【図３３Ａ】適用例１に係る電子機器の表示の一例を表す模式図である。
【図３３Ｂ】図１６Ａに示した電子機器の表示の他の例を表す模式図である。
【図３４】適用例２に係る電子機器の構成を表す斜視図である。
【発明を実施するための形態】
【００１５】
以下、本開示の実施形態について、図面を参照して詳細に説明する。なお、説明する順序は、下記の通りである。
１．第１の実施の形態（個々の筐体内に表示体が封止されてなるＥＰＤチップが複数実装された表示装置の例）
２．第２の実施の形態（表示体を有する表示ユニットの端子部が、配線に設けられた複数の端子接続部に対して選択的な組み合わせで、かつ着脱可能に接続される表示装置の例）
３．変形例１（３つの配線を用いた場合の例）
４．変形例２−１〜２−３（表示ユニットの面形状の他の例）
５．適用例（電子機器の例）
【００１６】
＜第１の実施の形態＞
［構成］
図１は、本開示の第１の実施の形態の表示装置（表示装置１）の構成を表したものである。表示装置１は、電気泳動現象を利用して画像を表示する電気泳動型の表示装置（ＥＰＤ）であり、いわゆる電子ペーパーディスプレイである。この表示装置１は、基材１０Ａの表面に（一面側に）、例えば複数の電気泳動素子（ＥＰＤチップ１０）を備えたものである。
【００１７】
基材１０Ａは、例えば無機材料、金属材料または樹脂材料（プラスチック材料）などにより構成されている。無機材料としては、例えば、ケイ素（Ｓｉ）、酸化ケイ素（ＳｉＯX）、窒化ケイ素（ＳｉＮX）または酸化アルミニウム（ＡｌＯX）などが挙げられる。酸化ケイ素には、例えばガラスまたはスピンオングラス（ＳＯＧ）などが含まれる。金属材料としては、例えばアルミニウム（Ａｌ）、ニッケル（Ｎｉ）またはステンレスなどが挙げられる。樹脂材料としては、例えば、ポリカーボネート（ＰＣ）、ポリエチレンテレフタレート（ＰＥＴ）、ポリエチレンナフタレート（ＰＥＮ）またはポリエチルエーテルケトン（ＰＥＥＫ）などが挙げられる。
【００１８】
この基材１０Ａは、可撓性（フレキシブル性）を有することが望ましい。この場合、基材１０Ａとしては、上記材料のうちの薄膜金属や樹脂材料が用いることができる。基材１０Ａとしてフレキシブルな材料を用いた場合には、表示装置１を、柔軟性および耐衝撃性に優れたＥＰＤシートとして、様々なテキスタイルを提供することが可能となる。また、基材１０Ａとしては、上記材料の他にも、天然繊維または化学繊維等を用いた布、皮革等が用いられてもよい。
【００１９】
（ＥＰＤチップ１０の構成）
図２は、ＥＰＤチップ１０の斜視構成を表したものである。図３は、ＥＰＤチップ１０の断面構成（図２のＩＡ−ＩＡ線における断面構成）を表したものである。ＥＰＤチップ１０は、例えば、筐体１１の内部に、泳動粒子（泳動粒子１３１，１３２）を含む表示体１３が封止されたものである。ＥＰＤチップ１０は、また、そのような表示体１３に電圧を印加するための第１電極１２および第２電極１４を有している。
【００２０】
筐体１１は、ＥＰＤチップ１０の外装部材であり、例えば全体が凹形状を成すと共に、底部（底面）と側面とを有して構成されている。この例では、筐体１１の底部が正方形状または矩形状を有し、計４つの側面を有している。筐体１１は、例えば型を用いて一体的に成形されたものである。尚、筐体１１の底部の形状は、正方形状や矩形状に限定されず、他の多角形状、円形状、または楕円形状等であっても構わない。筐体１１のサイズは、特に限定されないが、例えば平面形状が数ｍｍ×数ｍｍ程度の大きさまで小型化することができる。
【００２１】
この筐体１１内の底部に、第１電極１２が配置されている。筐体１１の上部には、第２電極１４を有する基板２０が貼り合わせられている。換言すると、筐体１１の上部は、基板２０により封止されている。第２電極１４は、基板２０の表示体１３の側に形成されている。第１電極１２は、筐体１１内に１つ設けられていてもよいし、複数（分割されて）設けられていてもよい。
【００２２】
ＥＰＤチップ１０は、実装用（配線接続用）の端子部として、第１端子部１２Ａと第２端子部１４Ａとを有している。第１端子部１２Ａは、第１電極１２へ電圧を供給するための端子部であり、第１電極１２と電気的に接続されている。第２端子部１４Ａは、第２電極１４へ電圧を供給するための端子部であり、第２電極１４と電気的に接続されている。これらの第１端子部１２Ａおよび第２端子部１４Ａは、例えば、筐体１１のうちの互いに同一の面（面Ｓ１）側に突出するように配置されることが望ましい。外周部での配線の引き回しやコンタクト構造が不要となり、いわゆる表面実装を実現できるためである。
【００２３】
本実施の形態では、筐体１１の底部に、開口部１１０が設けられている。この筐体１１の開口部１１０を通じて、第１電極１２と第１端子部１２Ａとが電気的に接続されている。第１端子部１２Ａは、第１電極１２と電気的に接続されていればよいが、この例では、第１電極１２と一体的に構成されている（成形部品である）。具体的には、第１電極１２の裏面側（表示体１３と反対側）の一部が凸形状とされ、この凸部分が第１端子部１２Ａとなっている。第１電極１２は、第１端子部１２Ａが開口部１１０に嵌め込まれた状態で、筐体１１内の底部に配置されている。尚、第１電極１２は、開口部１１０を塞ぎ、気密性を高めるために、筐体１１に対して接着固定されている。
【００２４】
筐体１１は、例えば金属を含んで構成されており、第２電極１４と電気的に接続されている。第２電極１４と筐体１１との間には、導電性を有する接着層（図示せず）が介在している。第２端子部１４Ａは、筐体１１を介して第２電極１４と電気的に接続されている。第２端子部１４Ａは、筐体１１（第２電極１４）と電気的に接続されていればよいが、この例では、筐体１１と一体的に構成されている（成形部品である）。具体的には、筐体１１の裏面側（面Ｓ１側）の一部が凸形状とされ、この凸部分が第２端子部１４Ａとなっている。
【００２５】
筐体１１が金属から構成される場合には、筐体１１の表面のうちの第２電極１４および第２端子部１４Ａとの接点（接する部分）を除いた部分は、絶縁膜１１ａにより覆われている。この絶縁膜１１ａにより、筐体１１と第１電極１２とが電気的に分離され、第１電極１２（第１端子部１２Ａ）と第２電極１４（第２端子部１４Ａ）とが電気的に分離される。
【００２６】
筐体１１の構成材料としては、例えばアルミニウム（Ａｌ）等の金属が挙げられる。封止性能を確保できると共に、上述のように筐体１１を配線として機能させ、第２電極と１４と第２端子部１４Ａとを電気的に接続させることができるためである。但し、筐体１１の構成材料としては、金属に限定される訳ではなく、樹脂等が用いられても構わない。絶縁膜１１ａは、例えば有機材料から構成されている。
【００２７】
第１電極１２は、例えば、モリブデン（Ｍｏ）、金（Ａｕ）、銀（Ａｇ）、アルミニウムおよび銅（Ｃｕ）などの導電性材料のうち少なくとも１種を含んで構成されている。第１電極１２は、酸化インジウム−酸化スズ（ＩＴＯ）等の透明導電膜を含んで構成されていてもよい。
【００２８】
表示体１３は、第１電極１２と第２電極１４とを通じて印加された電圧に応じて光反射率が変化する（コントラストを生じさせる）ように構成されている。例えば、表示体１３は、２種以上の泳動粒子（ここでは、泳動粒子１３１，１３２）と、絶縁性液体１３３とを含んで構成されている。
【００２９】
泳動粒子１３１，１３２は、正または負に帯電した荷電粒子であり、絶縁性液体１３３中に分散されている。これらの泳動粒子１３１，１３２は、絶縁性液体１３３中で第１電極１２と第２電極１４との間を移動可能になっている。泳動粒子１３１，１３２は、例えば、有機顔料、無機顔料、染料、炭素材料、金属材料、金属酸化物、ガラスまたは高分子材料（樹脂）などのいずれか１種類または２種類以上の粒子（粉末）である。なお、泳動粒子１３１，１３２は、上記した粒子を含む樹脂固形分の粉砕粒子またはカプセル粒子などでもよい。ただし、炭素材料、金属材料、金属酸化物、ガラスまたは高分子材料に該当する材料は、有機顔料、無機顔料または染料に該当する材料から除かれることとする。この泳動粒子１３１，１３２としては、上記の中のいずれか１種類が用いられてもよいし、複数種類のものが用いられてもよい。
【００３０】
この泳動粒子１３１，１３２は、互いに異なる光反射特性（光反射率）を有している。泳動粒子１３１，１３２の光反射率の違いを利用してコントラストを生じさせるためである。泳動粒子１３１，１３２の具体的な形成材料は、例えば、コントラストを生じさせるために泳動粒子１３１，１３２が担う役割に応じて選択される。例えば、泳動粒子１３１により明表示（白表示）される場合、その材料としては、例えば、酸化チタン、酸化亜鉛、酸化ジルコニウム、チタン酸バリウムまたはチタン酸カリウムなどの金属酸化物が挙げられる。中でも、酸化チタンが用いられることが望ましい。電気化学的安定性および分散性などに優れていると共に、高い反射率が得られるからである。一方、泳動粒子１３２により暗表示（黒表示）される場合、その材料としては、例えば、炭素材料または金属酸化物などが挙げられる。炭素材料は、例えば、カーボンブラックなどであり、金属酸化物は、例えば、銅−クロム酸化物、銅−マンガン酸化物、銅−鉄−マンガン酸化物、銅−クロム−マンガン酸化物または銅−鉄−クロム酸化物などである。中でも、炭素材料が好ましい。優れた化学的安定性、移動性および光吸収性が得られるからである。
【００３１】
外部から視認される泳動粒子１３１，１３２の色は、コントラストを生じさせることができれば特に限定されないが、泳動粒子１３１の色は、例えば白色または白色に近い色であることが望ましく、泳動粒子１３２の色は、例えば黒色または黒色に近い色であることが望ましい。コントラストが高くなるからである。
【００３２】
絶縁性液体１３３は、例えば有機溶媒などの非水溶媒であり、具体的には、パラフィンまたはイソパラフィンなどである。この絶縁性液体１３３の粘度および屈折率は、できるだけ低いことが好ましい。泳動粒子１３１，１３２の移動性（応答速度）が向上すると共に、それに応じて泳動粒子１３１，１３２の移動に要するエネルギー（消費電力）が低くなるからである。この絶縁性液体１３３は、必要に応じて、各種材料を含んでいてもよい。例えば、絶縁性液体１３３は、着色剤、電荷制御剤、分散安定剤、粘度調製剤、界面活性剤または樹脂などを含んでいてもよい。
【００３３】
尚、表示体１３の構成は、これに限定されるものではなく、カプセル状のものであってもよいし、繊維状構造体を含んでいてもよい。
【００３４】
第２電極１４は、例えば透明導電膜により構成されている。透明導電膜としては、例えば、酸化インジウム−酸化スズ（ＩＴＯ）、酸化アンチモン−酸化スズ（ＡＴＯ）、フッ素ドープ酸化スズ（ＦＴＯ）またはアルミニウムドープ酸化亜鉛（ＡＺＯ）などが挙げられる。
【００３５】
基板２０は、光透過性を有する材料、例えばガラスまたはプラスチックから構成されている。この基板２０と第２電極１４との間に、もしくは基板２０よりも上の層に、図示しないカラーフィルタが設けられていてもよい。カラーフィルタが用いられる場合には、Ｒ（赤），Ｇ（緑）またはＢ（青）等の色を組み合わせた表示が可能となる。
【００３６】
（配線接続構成）
表示装置１では、上記のようなＥＰＤチップ１０が、基材１０Ａ上に配線を介して実装されている。図４は、表示装置１の断面構成を表したものであり、図５は、表示装置１の平面構成を表したものである。このように、基材１０Ａ上には、例えば２種類の配線１２１，１２２が形成されている。各ＥＰＤチップ１０の第１端子部１２Ａおよび第２端子部１４Ａは、配線１２１，１２２を通じて、電圧供給部１２０Ａ，１２０Ｂのうちのどちらか一方に電気的に接続されている。
【００３７】
電圧供給部１２０Ａは、例えば、パルス電圧（一例としては、＋１５Ｖおよび−１５Ｖを交互に繰り返すパルス）を出力するものであり、その出力端に配線１２１の一端が接続されている。配線１２１の他端は、例えば複数の列に分岐されており、全体としてストライプ状を成す複数の配線１２１Ａを有している。電圧供給部１２０Ｂは、例えば、固定電圧（一例としては、グランド電圧、０Ｖ）を出力するものであり、その出力端に配線１２２の一端が接続されている（配線１２２の一端は接地されている）。配線１２２の他端は、例えば複数の列に分岐されており、全体としてストライプ状を成す複数の配線１２２Ａを有している。これらの配線１２１Ａ，１２２Ａは、基材１０Ａ上において、交互に配置されている。
【００３８】
各ＥＰＤチップ１０の第１端子部１２Ａおよび第２端子部１４Ａはそれぞれ、これらの電圧供給部１２０Ａ，１２０Ｂとのうちのどちらか一方に、配線１２１，１２２を介して接続されている。具体的には、各ＥＰＤチップ１０の第１端子部１２Ａは、配線１２１，１２２（配線１２１Ａ，１２２Ａ）のうちの一方の配線に接続され、第２端子部１４Ａは、それらのうちのもう一方の配線に接続されている。例えば、ＥＰＤチップ１０（１）では、第１端子部１２Ａが電圧供給部１２０Ａに接続されると共に、第２端子部１４Ａが電圧供給部１２０Ｂに接続されている。ＥＰＤチップ１０（２）では、第１端子部１２Ａが電圧供給部１２０Ｂに接続されると共に、第２端子部１４Ａが電圧供給部１２０Ａに接続されている。これらのＥＰＤチップ１０（１），１０（２）では、それぞれの第１電極１２および第２電極１４への印加電圧が異なる（逆になる）。このため、ＥＰＤチップ１０（１）とＥＰＤチップ１０（２）との間では、泳動粒子１３１，１３２のそれぞれの移動方向が異なるものとなり、互いに異なる色（例えば、一方が白で、もう一方が黒）を表示することができる。このように、第１端子部１２Ａおよび第２端子部１４Ａと、配線１２１，１２２との接続の組み合わせに応じて、各ＥＰＤチップ１０の表示体１３に印加される電圧が異なるものとなり、様々なモザイクパターン（表示パターン）を表示することができる。
【００３９】
このように、本実施の形態では、ＥＰＤチップ１０が個々に、基材１０Ａ上に実装されている。尚、ここで記載した配線接続構成は一例であり、これに限定されるものではない。例えば、ＴＦＴ（薄膜トランジスタ）を用いてＥＰＤチップ１０毎に第１端子部１２Ａまたは第２端子部１４Ａに電圧を印加してチップ毎の表示を行うようにしてもよい。
【００４０】
［製造方法］
上記のようなＥＰＤチップ１０は、例えば次のようにして製造することができる。即ち、まず、図６Ａおよび図６Ｂに示したように、例えばアルミニウム等の薄板をプレスすることにより、上述の筐体１１を形成する。このとき、筐体１１の底部には、開口部１１０を形成すると共に、面Ｓ１側に凸部分（第２端子部１４Ａ）を形成する。図６Ｂは、図６Ａに示した筐体１１の面Ｓ１
の構成を模式的に表したものである。
【００４１】
続いて、図７に示したように、筐体１１の表面に、例えば各種コート法またはディップ法により、絶縁膜１１ａを形成する。このとき、筐体１１の表面のうちの上端部（第２電極１４との接点となる部分）と、第２端子部１４Ａに対応する部分とには、絶縁膜１１ａが成膜されないようにマスクをする。
【００４２】
次いで、図８に示したように、第１電極１２および第１端子部１２Ａを筐体１１に接着固定する。尚、第１電極１２および第１端子部１２Ａは、例えば予めプレス成型等により、一体的に形成しておく。第１端子部１２Ａを筐体１１の開口部１１０に嵌め込む（差し込む）ようにして、第１電極１２を筐体１１の底部に配置する。
【００４３】
続いて、図９に示したように、泳動粒子１３１，１３２および絶縁性液体１３３を注入する。
【００４４】
最後に、図１０に示したように、筐体１１の上部（上端部）に、基板２０を例えば導電性シール剤を用いて貼り合わせる。ここで、基板２０には、予め第２電極１４を形成しておき、貼り合わせの際には、この第２電極１４の側を表示体１３に対向させるようにする。このようにして、図２および図３に示したＥＰＤチップ１０を完成する。このようにしてＥＰＤチップ１０を複数形成し、これらの複数のＥＰＤチップ１０を個々に、基材１０Ａ上に実装することで、表示装置１を製造することが可能となる。
【００４５】
［作用および効果］
本実施の形態の表示装置１では、各ＥＰＤチップ１０の表示体１３に、第１電極１２および第２電極１４を通じて電圧が印加されると、その印加電圧に応じて、表示体１３中の泳動粒子１３１，１３２が第１電極１２側または第２電極１４側へ移動する。これにより、各ＥＰＤチップ１０では、泳動粒子１３１，１３２のいずれかの光反射率に応じた色が表示される。
【００４６】
図１１および図１２に、例えば図５の配線接続を行った場合の表示の一例を示す。図１１に示したように、電圧供給部１２０Ａが、例えば＋１５Ｖを出力すると共に、電圧供給部１２０Ｂが０Ｖを供給する（配線１２２が接地されている）場合には、２つのＥＰＤチップ１０（１）の第１端子部１２Ａには＋１５Ｖが印加され、第２端子部１４Ａには、０Ｖが印加される。これにより、第１電極１２には＋１５Ｖが印加され、第２電極１４には０Ｖが印加される。ここで、泳動粒子１３１が例えば負に帯電した白色の粒子であり、泳動粒子１３２が例えば正に帯電した黒色の粒子であるとする。この場合、黒色の泳動粒子１３２が第２電極１４側に、白色の泳動粒子１３１が第１電極１２側に、それぞれ移動するため、２つのＥＰＤチップ１０（１）では、黒表示となる。
【００４７】
一方、１つのＥＰＤチップ１０（２）の第１端子部１２Ａには０Ｖが印加され、第２端子部１４Ａには、＋１５Ｖが印加される。これにより、第１電極１２には０Ｖが印加され、第２電極１４には＋１５Ｖが印加される。この場合、白色の泳動粒子１３１が第２電極１４側に、黒色の泳動粒子１３２が第１電極１２側に、それぞれ移動するため、１つのＥＰＤチップ１０（２）では、白表示となる。
【００４８】
また、図１２に示したように、電圧供給部１２０Ａが、例えば−１５Ｖを出力すると共に、電圧供給部１２０Ｂが０Ｖを供給する（配線１２２が接地されている）場合には、２つのＥＰＤチップ１０（１）の第１端子部１２Ａには−１５Ｖが印加され、第２端子部１４Ａには、０Ｖが印加される。これにより、第１電極１２には−１５Ｖが印加され、第２電極１４には０Ｖが印加される。この場合、白色の泳動粒子１３１が第２電極１４側に、黒色の泳動粒子１３２が第１電極１２側に、それぞれ移動するため、２つのＥＰＤチップ１０（１）では、白表示となる。
【００４９】
一方、１つのＥＰＤチップ１０（２）の第１端子部１２Ａには０Ｖが印加され、第２端子部１４Ａには、−１５Ｖが印加される。これにより、第１電極１２には０Ｖが印加され、第２電極１４には−１５Ｖが印加される。この場合、黒色の泳動粒子１３２が第２電極１４側に、白色の泳動粒子１３１が第１電極１２側に、それぞれ移動するため、１つのＥＰＤチップ１０（２）では、黒表示となる。
【００５０】
このように、各ＥＰＤチップ１０において、第１電極１２と第２電極１４との間に電圧を印加することで、例えば白または黒等の色を選択的に表示することができる。また、この表示色は、電源をオフにした状態においても、電気泳動素子のメモリー性により、維持することができる。
【００５１】
（比較例１）
ここで、図１３および図１４に、本実施の形態の比較例（比較例１）に係る表示装置（表示装置１００）の構成について示す。図１４は、図１３のＩＢ−ＩＢ線における断面図である。このように、比較例１の表示装置１００では、表示体１０３を基板１０４，１０７間に挟むと共に、表示体１０３の外周部が樹脂等のシール１０１により封止されている。基板１０４，１０７の表示体１０３側の面には、電極１０５，１０６が形成されている。表示エリアには、上部側の電極１０５を、基板１０７（駆動基板）に接続させるためのコンタクト層１０２が設けられている。電極１０５は、このコンタクト層１０２を通じて基板１０７の外周部に引き出され、ＦＰＣ等に接続される。
【００５２】
この比較例１の表示装置１００では、文字や画像を表示することが前提であることから、表示エリアではある程度の面積を要する。また各種情報を表示するため、基板１０７は、ＴＦＴを含む駆動基板となっている。この基板１０７の上に、接着層１０８を介してシート状のＥＰＤモジュールが貼り合わせられている。表示エリアの外周部には、電極１０５，１０６に接続される配線が引き出される。このように、表示エリアの外周部に、一定の電極引き出し領域とシール１０１の形成領域とを有し、これらが額縁となる。
【００５３】
ところが、額縁の大きさは一般的に１〜２ｍｍであるため、数ｍｍ角のデバイスを製作する場合には、表示エリアに対する額縁の割合が大きくなる。また、外周部には、外部の回路基板に接続するためのＦＰＣの実装領域が設けられる。
【００５４】
また、いわゆる表面実装を行うためには、表示エリアの裏面側に電極１０５，１０６を取り出すこととなるが、この場合には、基板１０７を多層化し、スルーホール等を形成しなければならず、製造プロセスが複雑となり、またコスト高となる。
【００５５】
そこで、本実施の形態では、基材１０Ａ上に実装された複数のＥＰＤチップ１０のそれぞれにおいて、筐体１１の内部に表示体１３が封止されている。これにより、上記の比較例１に比べ、図１５に示したように、外周部（額縁）を狭小化できると共に、第１電極１２および第２電極１４に対する配線接続が容易となる。表面実装が可能な小型のＥＰＤチップ１０を実現可能となる。
【００５６】
また、筐体１１が金属を含んで構成されることが望ましく、これにより、表示体１３への水分の介入を防ぐ性能（防湿性）を樹脂を用いた場合に比べて高めることができる。また、筐体１１を配線として機能させることができる。即ち、この筐体１１を第２電極１４と電気的に接続すると共に、筐体１１の面Ｓ１側に第２端子部１４Ａを設けることで、第２電極１４の面Ｓ１側への配線引き出しが容易となる。これにより、第１電極１２と第２電極１４とを同一面側に引き出すことができ、表面実装が可能となる。
【００５７】
更に、筐体１１を用いることで、ＥＰＤチップ１０の機械的な強度が高まり、例えばフレキシブルかつストレッチャブルな基材１０Ａ上に実装した場合にも、柔軟性と強度とが両立した電子デバイスを実現可能となる。また、シンプルな構成のため、量産性も向上する。
【００５８】
以上のように本実施の形態のＥＰＤチップ１０では、表示体１３と、この表示体１３に電圧を印加するための第１電極１２および第２電極１４とを備え、表示体１３が筐体１１の内部に封止されている。これにより、表示体を基板間に挟むと共に、表示体の外周をシールして封止する構成に比べ、外周部（額縁）を狭小化できると共に、第１電極１２および第２電極１４に対する配線接続を容易に確保することができる。また、ＥＰＤチップ１０毎に、配線接続を行うことができるので、ＥＰＤチップ１０毎に表示体１３への印加電圧を設定することができる。よって、小型化を実現しつつ、様々なパターンを表示可能となる。
【００５９】
以下、本開示の他の実施の形態および変形例について説明する。尚、上記第１の実施の形態と同様の構成要素については同一の符号を付し、適宜その説明を省略する。
【００６０】
＜第２の実施の形態＞
［構成］
図１６は、本開示の第２の実施の形態の表示装置（表示装置２）の構成を表したものである。図１７は、表示ユニット（表示ユニット３０）の断面構成を表したものである。表示装置２は、上記第１の実施の形態の表示装置１と同様、電気泳動現象を利用して画像を表示する電気泳動型の表示装置（ＥＰＤ）であり、いわゆる電子ペーパーディスプレイである。この表示装置２は、基材１０Ａ上に配線２１０，２２０を有する配線シート２１と、例えば電気泳動素子を含む表示ユニット３０とを備えたものである。
【００６１】
配線シート２１は、基材１０Ａ上に、配線２１０，２２０が所定のパターンで形成されたものである。配線２１０，２２０は、互いに異なる電圧供給部（電圧供給部１２０Ａ，１２０Ｂ）に接続されている。尚、本実施の形態の配線２１０，２２０（または配線２１０Ａ，２２０Ａ）が、本開示の「第１の配線」および「第２の配線」の一具体例に相当する。
【００６２】
表示ユニット３０は、例えば、上記第１の実施の形態のＥＰＤチップ１０と同様、筐体３１の内部に、泳動粒子（泳動粒子１３１，１３２）と絶縁性液体１３３とを含む表示体１３が封止されたものである。表示ユニット３０は、また、そのような表示体１３に電圧を印加するための第１電極１２および第２電極１４を有している。表示体１３の外周には、例えば樹脂等からなる封止層３２が形成されている。尚、ここでは、表示ユニット３０が、筐体３１により封止されるチップとして形成された場合を例示するが、本開示の表示ユニットは、これに限定されるものではなく、表示シート（表示パネル）として形成されたものであってもよい。
【００６３】
筐体３１は、上記第１の実施の形態の筐体１１と同様、表示ユニット３０の外装部材であり、例えば全体が凹形状を成すと共に、底部（底面）と側面とを有して構成されている。この例では、筐体３１の底部が端子接続側の面Ｓ１となっている。筐体３１は、例えば型を用いて一体的に成形されたものである。
【００６４】
この筐体３１内の底部に、第１電極１２が配置されている。筐体３１の上部には、第２電極１４を有する基板２０が貼り合わせられている。換言すると、筐体３１の上部は、基板２０により封止されている。第１電極１２は、筐体３１内に１つ設けられていてもよいし、複数（分割されて）設けられていてもよい（後述）。
【００６５】
表示ユニット３０は、実装用（配線接続用）の端子部として、第１端子部１２Ｂと第２端子部３４Ａとを有している。第１端子部１２Ｂは、第１電極１２へ電圧を供給するための端子部であり、第１電極１２と電気的に接続されている。第２端子部３４Ａは、第２電極１４へ電圧を供給するための端子部であり、第２電極１４と電気的に接続されている。これらの第１端子部１２Ｂおよび第２端子部３４Ａは、例えば、表示ユニット３０（筐体３１）のうちの互いに同一の面（面Ｓ１）に突出する（露出する）ように配置されている。尚、本実施の形態の第１端子部１２Ｂおよび第２端子部３４Ａが、本開示の「第１の端子部」および「第２の端子部」の一具体例に相当する。
【００６６】
この例では、第１電極１２の一部が筐体３１の底部を貫通して設けられ、この貫通した部分が第１端子部１２Ｂと電気的に接続されている。第１端子部１２Ｂは、第１電極１２と電気的に接続されていればよいが、この例では、第１電極１２と一体的に構成されている（成形部品である）。具体的には、第１電極１２の裏面側（表示体１３と反対側）の一部が筐体３１を貫通する凸形状とされ、この凸部分が第１端子部１２Ｂとなっている。第２電極１４には、導電性の接着層３３を介して第２電極３４が接続されている。第２電極３４は、表示体１３の厚み方向に沿って設けられると共に、筐体３１の底部を貫通して、面Ｓ１から露出している。この第２電極３４の先端部分が、第２端子部３４Ａとなっている。
【００６７】
筐体３１は、例えば樹脂等の絶縁材料を含んで構成されている。但し、筐体３１は、上記第１の実施の形態の筐体１１と同様、アルミニウム等の金属を含んで構成されていてもよい。その場合には、上記第１の実施の形態と同様、筐体３１が第２電極１４と電気的に接続されると共に、筐体３１の裏面側（面Ｓ１側）の一部が凸形状とされ、この凸部分が第２端子部３４Ａとなっていてもよい。
【００６８】
（配線接続構成）
本実施の形態では、この表示ユニット３０の第１端子部１２Ｂおよび第２端子部３４Ａが、配線シート２１の配線２１０，２２０（詳細には、後述の端子接続部２３０）に対して着脱可能に接続される。図１８に、配線シート２１の平面構成を、図１９には、表示ユニット３０の端子接続側の面Ｓ１の平面構成を、それぞれ示す。
【００６９】
図１８に示したように、配線シート２１では、基材１０Ａ上に、例えば２種類の配線２１０，２２０が所定のレイアウトで形成されている。この例では、配線２１０は電圧供給部１２０Ｂ（ＧＮＤ）に、配線２２０は、電圧供給部１２０Ａ（パルス電圧出力部）に、それぞれ電気的に接続されている。
【００７０】
配線２１０の一端は、電圧供給部１２０Ｂの出力端に接続され、配線２１０の他端は、例えば複数の列に分岐されており、例えば全体としてストライプ状を成す複数の配線２１０Ａを有している。配線２２０の一端は、電圧供給部１２０Ａの出力端に接続され、配線２２０の他端は、例えば複数の列に分岐されており、例えば全体としてストライプ状を成す複数の配線２２０Ａを有している。これらの配線２１０Ａ，２２０Ａは、基材１０Ａ上において、例えば交互に配置されている。
【００７１】
このような構成において、例えば隣り合う配線２１０Ａ，２２０Ａの組が、１つの表示ユニット３０を駆動するための配線として機能する。換言すると、これらの配線２１０Ａ，２２０Ａの各組の選択的な領域が、表示ユニット３０の設置（マウント）領域２３１となっている。配線２１０Ａ，２２０Ａ（設置領域２３１）は、全体として、複数の端子接続部２３０を有している。尚、図１８に示した配線２１０Ａ，２２０Ａおよび端子接続部２３０の構成は一例であり、これらの個数や位置、形状等のレイアウトは、特に限定されるものではない。また、設置領域２３１は、それらの配線２１０Ａ，２２０Ａおよび端子接続部２３０のレイアウトに応じて、一意的に決定される領域（固定の領域）であってもよいし、ユーザ（例えば、デザイナー、製品使用者等）によって任意に選択可能な領域であってもよい。
【００７２】
端子接続部２３０は、配線２１０Ａ，２２０Ａの設置領域２３１毎に、複数配置されている。具体的には、１つの設置領域２３１には、表示ユニット３０の端子数（例えば第１端子部１２Ｂおよび第２端子部３４Ａの２つ）以上の数の端子接続部２３０が設けられている。この例では、表示ユニット３０の２つの端子数に対し、設置領域２３１における端子接続部２３０の数が３つとなっている。３つの端子接続部２３０のうちの１つの端子接続部２３０は、例えば配線２１０Ａに設けられ、２つの端子接続部２３０は例えば配線２２０Ａに設けられている。また、これらの３つの端子接続部２３０同士の間隔は互いに等しく設定されている。尚、端子接続部２３０の数は、３つに限定されず、４つ以上であってもよいし、２つであってもよい。但し、１つの設置領域２３１には、表示ユニット３０の端子数よりも多い数の端子接続部２３０が設けられることが望ましい。第１端子部１２Ｂおよび第２端子部３４Ａと接続される端子接続部２３０（後述の端子接続部２３０ａ）の組み合わせの自由度が高まり、印加電圧の種類が増えるためである。
【００７３】
表示ユニット３０の端子接続側の面Ｓ１の形状は、特に限定されるものではないが、例えば回転対称図形であることが望ましい。ここでは、図１９に示したように、表示ユニット３０の面Ｓ１の形状が、正三角形状を有している。この表示ユニット３０の正三角形状のうちの選択的な領域、例えば３つの頂点のうちの２つの頂点に対応する各領域に、第１端子部１２Ｂおよび第２端子部３４Ａが配置されている。面Ｓ１において、第１端子部１２Ｂおよび第２端子部３４Ａはそれぞれ、例えば、面Ｓ１に直交する軸ｃ１を中心に回転させたときに、巡回的に複数の位置（ここでは、３つの端子接続部２３０に対応する３つの位置）に対向するように配置されることが望ましい。また、軸ｃ１は、面ｓ１の形状が回転対称図形である場合には、その回転中心に配置されたものであることが望ましい。これにより、表示ユニット３０の角度（軸ｃ１まわりの回転角度）に応じて、配線接続の組み合わせのパターンが選択される（後述）が、いずれのパターンが選択された場合にも、設置領域２３１の位置および形状を不変とすることができる。表示ユニット３０の設置領域２３１の位置および形状を変えずに、表示ユニット３０の色（表示状態）だけを変更することができる。
【００７４】
面Ｓ１において、これらの第１端子部１２Ｂおよび第２端子部３４Ａを結ぶ線分が、配線２１０Ａ，２２０Ａの延在方向と平行となるか、またはその延在方向と交差するように、表示ユニット３０が配線シート２１上に実装される。第１端子部１２Ｂと第２端子部３４Ａとの間隔ｄ１は、設置領域２３１における端子接続部２３０同士の間隔ｄ２と等しくなっている。第１端子部１２Ｂおよび第２端子部３４Ａの高さ（筐体３１の面Ｓ１から突出した部分の長さ）は、例えば互いに等しくなっている。
【００７５】
各端子接続部２３０と、表示ユニット３０の第１端子部１２Ｂおよび第２端子部３４Ａのそれぞれとは、着脱可能に接続される。即ち、各端子接続部２３０に対し、表示ユニット３０の第１端子部１２Ｂ（または第２端子部３４Ａ）を電気的に接続しつつ取り付けたり、取り外したりすることが可能である。図２０Ａおよび図２０Ｂに、端子接続部２３０と第１端子部１２Ｂ（第２端子部３４Ａも同様）との接続部分の一例を示す。
【００７６】
例えば図２０Ａに示したように、第１端子部１２Ｂおよび第２端子部３４Ａの表面（端子接続側の面）には凹部１２４が設けられ、端子接続部２３０の表面には、その凹部１２４と嵌合する凸部１２６が設けられている。第１端子部１２Ｂおよび第２端子部３４Ａの側面は、例えば保護膜１２５により覆われている。端子接続部２３０は、例えば、基材１０Ａ上の配線２１０Ａ，２２０Ａに、導電性の接着層１２８を介して貼り合わせられている。端子接続部２３０の側面は、例えば保護膜１２７により覆われている。例えばユーザにより、第１端子部１２Ｂおよび第２端子部３４Ａと端子接続部２３０とが位置合わせされ、凹部１２４が凸部１２６に嵌め込まれることで、第１端子部１２Ｂおよび第２端子部３４Ａと端子接続部２３０とを電気的に接続しつつ、表示ユニット３０を配線シート２１上に固定することができる。また、この状態において、例えばユーザにより、凹部１２４から凸部１２６が引き抜かれることで、第１端子部１２Ｂおよび第２端子部３４Ａと端子接続部２３０との接続が解除され、表示ユニット３０を配線シート２１から取り外すことができる。
【００７７】
あるいは図２０Ｂに示したように、第１端子部１２Ｂおよび第２端子部３４Ａが、例えば磁石等の磁性材料１２９を含んで構成され、端子接続部２３０が、例えばその磁性材料１２９と引き合う磁極をもつ磁性材料１３０を含んで構成されている。第１端子部１２Ｂおよび第２端子部３４Ａの側面は、例えば保護膜１２５により覆われている。端子接続部２３０は、基材１０Ａ上の配線２１０Ａ，２２０Ａに、導電性の接着層１２８を介して貼り合わせられている。端子接続部２３０の側面は、例えば保護膜１２７により覆われている。例えばユーザにより、第１端子部１２Ｂおよび第２端子部３４Ａと端子接続部２３０とが位置合わせされて近接すると、磁性材料１２９，１３０同士の磁力により接着される。これにより、第１端子部１２Ｂおよび第２端子部３４Ａと端子接続部２３０とを電気的に接続しつつ、表示ユニット３０を配線シート２１上に固定することができる。また、この状態において、例えばユーザにより、磁性材料１２９，１３０同士が引き離されることで、第１端子部１２Ｂおよび第２端子部３４Ａと端子接続部２３０との接続が解除され、表示ユニット３０を配線シート２１から取り外すことができる。
【００７８】
本実施の形態では、上記構成により、第１端子部１２Ｂおよび第２端子部３４Ａが、設置領域２３１内の複数の端子接続部２３０のうちの選択的な組み合わせの端子接続部２３０に対して着脱可能に接続される。ここでは、第１端子部１２Ｂおよび第２端子部３４Ａは、３つの端子接続部２３０のうちの選択的な２つの組み合わせの端子接続部２３０（端子接続部２３０ａ）に対して接続される。換言すると、配線２１０Ａ，２２０Ａの端子接続部２３０と、第１端子部１２Ｂおよび第２端子部３４Ａとの接続の組み合わせ（接続パターン）は、複数種類ある。図２１Ａ〜図２１Ｃに、その接続パターンの一例を示す。尚、これらの図に示した端子接続部２３０ａが、本開示の「第１の端子接続部」および「第２の端子接続部」の一具体例に相当する。
【００７９】
図２１Ａに示した例では、表示ユニット３０の第１端子部１２Ｂが配線２２０Ａの端子接続部２３０ａに接続されると共に、第２端子部３４Ａが配線２１０Ａの端子接続部２３０ａに接続されている。第１端子部１２Ｂと第２端子部３４Ａとを結ぶ線分ＬＳは、配線２１０Ａ，２２０Ａの延在方向と例えば６０°の角度を成して交差している。
【００８０】
図２１Ｂに示した例では、表示ユニット３０の第１端子部１２Ｂが配線２１０Ａの端子接続部２３０ａに接続されると共に、第２端子部３４Ａが配線２２０Ａの端子接続部２３０ａに接続されている。第１端子部１２Ｂと第２端子部３４Ａとを結ぶ線分ＬＳは、配線２１０Ａ，２２０Ａの延在方向と例えば６０°の角度を成して交差している。
【００８１】
図２１Ｃに示した例では、表示ユニット３０の第１端子部１２Ｂおよび第２端子部３４Ａの両方が配線２２０Ａの端子接続部２３０ａに接続されている。第１端子部１２Ｂと第２端子部３４Ａとを結ぶ線分ＬＳは、配線２１０Ａ，２２０Ａの延在方向と平行となっている。尚、この例では、第１端子部１２Ｂおよび第２端子部３４Ａの両方が配線２２０Ａに接続されているが、第１端子部１２Ｂおよび第２端子部３４Ａの両方が配線２１０Ａに接続されるように構成されていても構わない。
【００８２】
このように、表示ユニット３０毎に、第１端子部１２Ｂおよび第２端子部３４Ａのそれぞれが、配線２１０Ａ，２２０Ａのうちのどちらか一方に選択的に接続される。これらの第１端子部１２Ｂおよび第２端子部３４Ａと、配線２１０Ａ，２２０Ａとの接続の組み合わせに応じて、各表示ユニット３０の表示体１３に異なる電圧を印加することができる。これにより、表示装置２では、様々なモザイクパターン（表示パターン）を表示したり、また、モザイクパターンを変更したりすることが可能となる。
【００８３】
［作用および効果］
本実施の形態の表示装置２では、各表示ユニット３０の表示体１３に、第１電極１２および第２電極１４，３４を通じて電圧が印加されると、その印加電圧に応じて、表示体１３中の泳動粒子１３１，１３２が第１電極１２側または第２電極１４側へ移動する。これにより、各表示ユニット３０では、泳動粒子１３１，１３２のいずれかの光反射率に応じた色が表示される。
【００８４】
図２２に、例えば図２１Ａ〜２１Ｃに示した各パターンで表示ユニット３０を実装した場合の表示状態の一例を示す。ここでは、電圧供給部１２０Ａが、例えば＋１５Ｖを出力すると共に、電圧供給部１２０Ｂが０Ｖを出力する（配線２１０が接地されている）場合を例示している。図２２に示したように、図２１Ａのパターンで接続された表示ユニット３０（１）では、第１端子部１２Ｂに＋１５Ｖが印加され、第２端子部３４Ａには、０Ｖが印加される。これにより、第１電極１２には＋１５Ｖが印加され、第２電極１４には０Ｖが印加される。ここで、泳動粒子１３１が例えば負に帯電した白色の粒子であり、泳動粒子１３２が例えば正に帯電した黒色の粒子である場合には、黒色の泳動粒子１３２が第２電極１４側に、白色の泳動粒子１３１が第１電極１２側に、それぞれ移動するため、表示ユニット３０（１）では、黒表示となる。
【００８５】
一方、図２１Ｂのパターンで接続された表示ユニット３０（２）では、第１端子部１２Ｂに０Ｖが印加され、第２端子部３４Ａには、＋１５Ｖが印加される。これにより、第１電極１２には０Ｖが印加され、第２電極１４には＋１５Ｖが印加される。ここで、泳動粒子１３１が例えば負に帯電した白色の粒子であり、泳動粒子１３２が例えば正に帯電した黒色の粒子である場合には、白色の泳動粒子１３１が第２電極１４側に、黒色の泳動粒子１３２が第１電極１２側に、それぞれ移動するため、表示ユニット３０（２）では、白表示となる。
【００８６】
また、図２１Ｃのパターンで接続された表示ユニット３０（３）では、第１端子部１２Ｂおよび第２端子部３４Ａの両方に＋１５Ｖが印加される。これにより、第１電極１２および第２電極１４の両方に＋１５Ｖが印加され、表示体１３には、０Ｖが印加されることとなる。この状態では、泳動粒子１３１，１３２は移動せず、表示ユニット３０（３）は駆動されない。即ち、表示ユニット３０（３）では、その直前の表示体１３の表示状態が保持される。
【００８７】
このように、各表示ユニット３０では、第１電極１２と第２電極１４との間に電圧が印加されることで、表示体１３に例えば＋１５Ｖ，−１５Ｖを印加して白または黒等の色を表示することができる。あるいは、表示体１３に０Ｖを印加することができる。また、これらの計３つの接続パターンのいずれを採用するかは、実装時に、ユーザが表示ユニット３０毎に設定することができる。各表示ユニット３０の表示色（表示状態）は、電源をオフにした状態においても、電気泳動素子のメモリー性により、維持することができる。
【００８８】
ところで、ファッション業界では、天然素材や化学繊維に加えて、テクノロジーを応用した素材を用いて様々な表現を実現し、新しい価値を生み出そうという傾向が高まっている。例えば、腕や衣類に装着するウェアラブル用途では、色や柄を変更することのできる素材として、表示装置を応用することが検討されている。
【００８９】
一般的な電子ペーパーは、フレキシブル性が十分でないことが多く、曲げた場合の局所的な応力により、表示部が破壊され表示不良が生じることがある。また、セグメント方式で色や柄等のデザインを変更する場合には、ＩＣ、ソフトウェアあるいはセグメントパターン等の設計変更が行われる。このため、少量多品種での生産の場合にはコストが高くなり易い。ウェアラブル用途の製品では、特に、デザイン性が高く、少量多品種に対応でき、かつフレキシブルであることが求められる。
【００９０】
（比較例２）
ここで、図２３〜図２５を参照して、本実施の形態の比較例（比較例２）に係る表示装置の構成について説明する。図２３に示したように、比較例２では、表示パネル２０１の裏面に結合部２０２が設けられており、この結合部２０２が端子２０２ａと、端子２０２ａよりも短い端子２０２ｂとを有している。一方、図２４に示したように、配線等が形成された基板２０３には、表示パネル２０１が設置される素子埋設部２０４が設けられている。この素子埋設部２０４の底部に、深さの異なる２種類の端子接点孔２０５が形成されている。そのような素子埋設部２０４に、結合部２０２をもつ表示パネル２０１が埋め込まれて実装される。
【００９１】
比較例２では、深さの異なる２種類の端子接点孔２０５と、長さの異なる２種類の端子２０２ａ，２０２ｂとを用いた、機械的なロータリースイッチ構造により配線接続が行われる。具体的には、図２５に示したように、深い端子接点孔２０５および長い端子２０２ａが接続する場合と、浅い端子接点孔２０５および短い端子２０２ｂが接続する場合との２種類の接続状態が選択される。この比較例２の手法を用いることで、制御装置２０６からの供給信号を変更することなく、各表示パネル２０１への印加電圧を選択的に変更して、表示パターンを形成することができる。
【００９２】
しかしながら、このようなロータリースイッチ構造を用いた比較例２では、１つの表示パネル２０１に長短２種類の端子２０２ａ，２０２ｂが形成されるため、構造が複雑となると共に厚みが大きくなる。このため、フレキシブル化や薄型化が困難である。また、隣接する表示パネル２０１間で接続状態が異なると、これらの表示パネル２０１間には段差が生じることから、斜めから見た場合の表示品位が低下してしまう。このため、ウェアラブル用途には適さない。より簡易な構成で様々なパターンを表示可能な配線接続構造の実現が望まれている。
【００９３】
そこで、本実施の形態の表示装置２では、表示ユニット３０の第１端子部１２Ｂおよび第２端子部３４Ａが、配線２１０Ａ，２２０Ａの複数の端子接続部２３０のうちの選択的な組み合わせの端子接続部２３０に対して着脱可能に接続される。これにより、実装時には、ユーザ（例えばデザイナー）が、表示ユニット３０毎に、配線２１０Ａ，２２０Ａと第１端子部１２Ｂおよび第２端子部３４Ａとの接続の組み合わせを自由に設定することができる。このため、表示ユニット３０毎に表示体１３への印加電圧を設定することができる。また、外部からの供給信号を変更することなく、表示ユニット３０への印加電圧を切り替えることができる。よって、簡易な構成で、様々なパターンを表示可能となる。
【００９４】
また、配線シート２１と表示ユニット３０とは、第１端子部１２Ｂおよび第２端子部３４Ａに対応する一部の領域でのみ接続された構成であるため、曲げによるストレスを回避し易く、フレキシブル性が高い。また、実装時には、表示ユニット３０を設置する角度を調整するだけで、接続のパターンを変更して表示体１３への印加電圧を変更することができる。即ち、外部から供給される信号を変更することなく、表示ユニット３０毎に、表示状態を設定または切り替えることが可能である。これにより、少ない種類の部品（表示ユニット３０，配線シート２１）を用いて、様々なモザイクパターンを表示することができる。図２６にその一例を示す。少量多品種の生産に対応可能となり、低コスト化を図ることができる。
【００９５】
更に、一般に、ウェアラブル用途の製品を製造する際には、まずファッションメーカーによるデザイン工程の後、電子部品メーカーによる設計工程および製作工程を経て、最後にファッションメーカーによる組み立て工程となる。これに対し、本実施の形態の表示装置２では、電子部品メーカーによる部品（表示ユニット３０，配線シート２１）の設計および製作を行った後、ファッションメーカーがそれらの部品を用いてデザインおよび組み立てを一括して行うことができる。このため、流通コストおよび工数の削減にもつながる。
【００９６】
加えて、各表示ユニット３０の構成が簡易であると共に、表示ユニット３０毎の取り扱いが可能であることから、表示装置２内の部分的な領域の修復や、表示ユニット３０毎の修復が容易である。このため、低コストで、大面積化に対応することが可能となる。
【００９７】
加えて、表示ユニット３０が配線シート２１に対して着脱可能であることにより、ユーザ（例えば製品使用者）が自由に色や柄を変更することも可能となり、デザインの自由度が向上する。このように、本実施の形態の表示装置２では、特にウェアラブル用途として好適なデバイス構造を提供することができる。
【００９８】
以上のように本実施の形態の表示ユニット３０では、表示ユニット３０の第１端子部１２Ｂおよび第２端子部３４Ａが、基材１０Ａ上に形成された配線２１０Ａ，２２０Ａの複数の端子接続部２３０のうちの選択的な組み合わせの端子接続部２３０に対して着脱可能に接続される。これにより、実装時には、表示ユニット３０毎に、配線２１０Ａ，２２０Ａと第１端子部１２Ｂおよび第２端子部３４Ａとの接続の組み合わせを自由に設定（または変更）することができる。このため、表示ユニット３０毎に、表示体１３への印加電圧を設定することができる。また、配線２１０Ａ，２２０Ａへの供給電圧を変更することなく、表示ユニット３０への印加電圧を切り替えることができる。よって、簡易な構成で、様々なパターンを表示可能となる。
【００９９】
以下に、上記第２の実施の形態の表示装置２の変形例について説明する。以下では、上記第２の実施の形態と同様の構成要素については同一の符号を付し、適宜その説明を省略する。
【０１００】
＜変形例１＞
図２７は、変形例１に係る表示ユニット（表示ユニット３０Ａ）の断面構成を表したものである。この表示ユニット３０Ａは、上記第２の実施の形態の表示ユニット３０と同様、配線シート２１上に着脱可能に実装されるものであり、例えば筐体３１の内部に、泳動粒子（泳動粒子１３１，１３２）と絶縁性液体１３３とを含む表示体１３が封止されたものである。表示ユニット３０は、また、上記第２の実施の形態の表示ユニット３０と同様、表示体１３に電圧を印加するための第１電極１２および第２電極１４を有している。表示体１３の外周には、例えば樹脂等からなる封止層３２が形成されている。第１電極１２は、筐体３１内の底部に配置され、筐体３１の上部には、第２電極１４を有する基板２０が貼り合わせられている。
【０１０１】
但し、本変形例では、筐体３１内の底部において、第１電極１２の一部（電極部分１２Ｃ）が電気的に分離されている（第１電極１２が複数の電極部分に分割されている）。表示ユニット３０は、実装用（配線接続用）の端子部として、第１電極１２に電気的に接続された第１端子部１２Ｂと、第２電極１４，３４に電気的に接続された第２端子部３４Ａと、電極部分１２Ｃに電気的に接続された第３端子部１２Ｄ（第３の端子部）とを有している。これらの第１端子部１２Ｂ、第２端子部３４Ａおよび第３端子部１２Ｄは、例えば、表示ユニット３０（筐体３１）のうちの互いに同一の面（面Ｓ１）側に突出する（露出する）ように、かつ同じ高さで配置されている。
【０１０２】
電極部分１２Ｃの一部が筐体３１の底部を貫通して設けられ、この貫通した部分が第３端子部１２Ｄと電気的に接続されている。例えば、電極部分１２Ｃの裏面側（表示体１３と反対側）の一部が筐体３１を貫通する凸形状とされ、この凸部分が第３端子部１２Ｄとなっている。
【０１０３】
本変形例においても、上記第２の実施の形態と同様、表示ユニット３０Ａの第１端子部１２Ｂ、第２端子部３４Ａおよび第３端子部１２Ｄが、配線シート２１に対して着脱可能に接続される。尚、本変形例では、配線シート２１に、例えば３種類の配線（後述の配線２１０Ａ，２２０Ａ，２４０Ａ）が所定のレイアウトで形成される。
【０１０４】
図２８は、表示ユニット３０Ａの端子接続側の面Ｓ１の平面構成を表したものである。表示ユニット３０の端子接続側の面Ｓ１の形状は、例えば回転対称図形（ここでは正三角形状）となっている。この表示ユニット３０の正三角形状のうちの選択的な領域、例えば３つの頂点のうちの２つの頂点に対応する各領域に、第１端子部１２Ｂおよび第２端子部３４Ａが配置されている。面Ｓ１において、第１端子部１２Ｂおよび第２端子部３４Ａはそれぞれ、例えば、面Ｓ１に直交する軸ｃ１を中心に回転させたときに、巡回的に複数の位置（ここでは、４つの端子接続部２３０に対応する４つの位置）に対向するように配置されている。第３端子部１２Ｄは、軸ｃ１上に配置されている。
【０１０５】
図２９Ａ〜図２９Ｃは、表示ユニット３０Ａの接続パターンの一例を表したものである。このように、本変形例では、配線シート２１において、配線２１０Ａと配線２２０Ａとの間に、更に配線２４０Ａが配置されている。配線２４０Ａは、配線２１０Ａ，２２０Ａとは異なる電圧供給部に接続されており、配線２４０Ａには、例えば０Ｖ，＋１５Ｖ，−１５Ｖとは異なる電圧が印加される。本変形例においても、上記第２の実施の形態と同様、１つの表示ユニット３０Ａに対して設けられる端子接続部２３０の数は、表示ユニット３０の端子数以上に設定される。この例では、表示ユニット３０の３つの端子数に対して、端子接続部２３０の数は例えば４つである。配線２４０Ａには、表示ユニット３０Ａの第３端子部１２Ｄに対向する位置に、１つの端子接続部２３０が設けられている。
【０１０６】
図２９Ａに示した例では、表示ユニット３０Ａの第１端子部１２Ｂが配線２２０Ａの端子接続部２３０（端子接続部２３０ａ）に接続されると共に、第２端子部３４Ａが配線２１０Ａの端子接続部２３０（端子接続部２３０ａ）に接続されている。第３端子部１２Ｄは、配線２４０Ａの端子接続部２３０（端子接続部２３０ｂ）に接続されている。
【０１０７】
図２９Ｂに示した例では、表示ユニット３０Ａの第１端子部１２Ｂが配線２１０Ａの端子接続部２３０ａに接続されると共に、第２端子部３４Ａが配線２２０Ａの端子接続部２３０ａに接続されている。第３端子部１２Ｄは、配線２４０Ａの端子接続部２３０（端子接続部２３０ｂ）に接続されている。
【０１０８】
図２９Ｃに示した例では、表示ユニット３０Ａの第１端子部１２Ｂおよび第２端子部３４Ａの両方が配線２２０Ａの端子接続部２３０ａに接続されている。第３端子部１２Ｄは、配線２４０Ａの端子接続部２３０（端子接続部２３０ｂ）に接続されている。
【０１０９】
このように、表示ユニット３０Ａ毎に、第１端子部１２Ｂおよび第２端子部３４Ａのそれぞれが、配線２１０Ａ，２２０Ａのうちのどちらか一方に選択的に接続される。これらの第１端子部１２Ｂおよび第２端子部３４Ａと、配線２１０Ａ，２２０Ａとの接続の組み合わせに応じて、各表示ユニット３０の表示体１３に異なる電圧を印加することができる。これにより、表示装置２では、簡易な構成で、様々なモザイクパターン（表示パターン）を表示したり、また、モザイクパターンを変更したりすることが可能となる。この一方で、第３端子部１２Ｄは、表示ユニット３０Ａのいずれの接続パターンにおいても、配線２４０Ａに接続することができる。即ち、第３端子部１２Ｄには表示ユニット３０Ａの角度によらず一定の電圧を印加することができる。色や柄をより極め細やかに設定（変更）することができ、デザインの自由度を高めることができる。
【０１１０】
＜変形例２−１〜２−３＞
図３０は、変形例２−１に係る表示ユニットと配線との接続の組み合わせを説明するための模式図である。図３１は、変形例２−２に係る表示ユニットと配線との接続の組み合わせを説明するための模式図である。図３２は、変形例２−３に係る表示ユニットと配線との接続の組み合わせを説明するための模式図である。
【０１１１】
上記第２実施の形態では、表示ユニット３０の面形状（面Ｓ１の形状）として、正三角形状を例に挙げたが、表示ユニット３０の面形状は、これに限定されるものではなく、他の様々な形状をとり得る。ここでは、回転対称図形の一例として、正方形状（図３０）、正八角形状（図３１）および円形状（図３２）の場合を例示する。これらの例では、表示ユニット（表示ユニット３０Ｂ，３０Ｃ，３０Ｄ）の端子数が２つ（第１端子部１２Ｂ，第２端子部３４Ａ）であるのに対し、配線２１０Ａ，２２０Ａに設けられる端子接続部２３０の数は例えば４つとなっている。
【０１１２】
本変形例においても、上記第２の実施の形態と同様、表示ユニット３０Ｂ，３０Ｃ，３０Ｄの第１端子部１２Ｂおよび第２端子部３４Ａが、配線シート２１に対して着脱可能に接続される。また、表示ユニット３０Ｂ，３０Ｃ，３０Ｄのそれぞれに対して設けられる端子接続部２３０の数は、表示ユニット３０Ｂ，３０Ｃ，３０Ｄのそれぞれの端子数以上に設定される。この例では、表示ユニット３０Ｂ，３０Ｃ，３０Ｄの２つの端子数に対して、端子接続部２３０の数は例えば４つである。これら４つの端子接続部２３０は、配線２１０Ａ，２２０Ａに２つずつ設けられている。表示ユニット３０Ｂ，３０Ｃ，３０Ｄでは、第１端子部１２Ｂおよび第２端子部３４Ａが、例えば軸ｃ１を中心にして回転させたときに、巡回的に複数の位置（ここでは、４つの端子接続部２３０に対応する４つの位置）に対向するように配置されている。
【０１１３】
上記構成により、表示ユニット３０Ｂ，３０Ｃ，３０Ｄ毎に、それぞれが設置される角度に応じて、第１端子部１２Ｂおよび第２端子部３４Ａのそれぞれが、配線２１０Ａ，２２０Ａのうちのどちらか一方に選択的に接続される。本変形例においても、第１端子部１２Ｂおよび第２端子部３４Ａと、配線２１０Ａ，２２０Ａとの接続の組み合わせに応じて、各表示ユニット３０に異なる電圧を印加することができる。よって、上記第２の実施の形態と同等の効果を得ることができる。
【０１１４】
＜適用例＞
次に、上述の実施の形態等において説明した表示装置１，２の適用例について説明する。尚、以下では、上記第１の実施の形態のＥＰＤチップ１０および表示装置１を例に挙げて説明するが、上記第２の実施の形態の表示ユニット３０および表示装置２についても同様に適用可能である。上記の表示装置１は、いわゆるウェアラブル端末として、例えば鞄、衣服、帽子、眼鏡および靴等の服飾品の一部に適用することが可能である。以下に、そのような服飾品一体型の電子機器の一例を示す。ここで示す構成はあくまで一例であり、その構成は適宜変更可能である。
【０１１５】
図３３Ａおよび図３３Ｂは、適用例１に係る電子機器の外観構成を表している。この電子機器は、鞄（バッグ）の素材として、上記実施の形態のＥＰＤチップ１０ないし表示装置１を用いたものである。この電子機器では、例えば、収納部３１０と、持ち手３２０とを有しており、これらのうち収納部３１０に、上記実施の形態のＥＰＤチップ１０ないし表示装置１が用いられている。収納部３１０では、基材１０Ａ上に複数のＥＰＤチップ１０が実装されている。これにより、収納部３１０の表面を、例えば図３３Ａに示したように全面白色（無地）としたり、例えば図３３Ｂに示したように、黒色と白色との格子柄としたりすることができる。また、この色や柄を、電源をオフにした後も維持することができる。
【０１１６】
ファッション業界では、これまでの天然素材あるいは化学繊維に加えて、テクノロジーを応用した素材を用いて、新規の表現を取り入れようとする動きがある。上記実施の形態のＥＰＤチップ１０を、鞄や衣服等の素材（ファブリック，テキスタイル）に適用することで、ＥＰＤチップ１０が個々に実装されることから、柔軟性を高めることができる。また、他の素材とのマッチングも高まり、デザイン性の向上も期待できる。このように、ＥＰＤチップ１０を、色や柄を変化させることの可能な新たな素材を実現することができる。
【０１１７】
また、ＥＰＤチップ１０は、そのようなファッション用途に限らず、例えばインテリア用途においても用いることができる。図３４は、適用例２に係る電子機器の外観構成を表している。このように、上記実施の形態のＥＰＤチップ１０を、部屋の壁面４００等にマウントし、色や柄が変化するクロスとして用いることも可能である。
【０１１８】
尚、ＥＰＤチップ１０の適用例としては、上述したようなファッションおよびインテリア向けのものの他にも、様々なものが考えられる。例えば、スマートフォンや携帯電話の通知ランプとしては、一般にＬＥＤチップが用いられることが多いが、このような通知ランプに上記実施の形態で説明したＥＰＤチップ１０を用いてもよい。これにより、低消費電力化が可能となる。また、ＩＯＴ（Internet of Things）向けのセンサーデバイスでは、より低消費電力が求められることから、このようなデバイスの動作確認のための通知ランプとしても有効である。
【０１１９】
以上、実施形態および変形例を挙げて説明したが、本開示は上記実施形態等で説明した態様に限定されず、種々の変形が可能である。例えば、上記実施の形態等では、表示体１３が、黒色および白色の２種類の泳動粒子を含む場合について説明したが、泳動粒子の種類はこれに限定されるものではない。Ｒ，ＧまたはＢ等のカラーの泳動粒子が用いられてもよく、この場合には、カラーの表示が可能となる。また、２種に限らず、１種または３種以上の泳動粒子が用いられてもよい。
【０１２０】
また、上記実施の形態等では、ＥＰＤチップおよび表示デバイスがそれぞれ基材（配線シート）上に複数配置された構成を例示したが、これらのＥＰＤチップおよび表示デバイスは、基材上に１つだけ設けられていてもよい。この場合、例えば、上述したスマートフォンや携帯電話等の通知ランプ等として好適に用いることができる。
【０１２１】
尚、上記実施の形態等において説明した効果は一例であり、本開示の効果は、他の効果であってもよいし、更に他の効果を含んでいてもよい。
【０１２２】
尚、本開示内容は以下のような構成であってもよい。
（１）
筐体と、
前記筐体の内部に封止されると共に、泳動粒子を含む表示体と、
前記表示体に電圧を印加するための第１電極および第２電極と
を備えた
電気泳動素子。
（２）
前記筐体の上部を封止すると共に前記第２電極を有する基板を備え、
前記第１電極は、前記筐体内の底部に配置され、
前記第２電極は、前記基板の前記表示体の側に配置されている
上記（１）に記載の電気泳動素子。
（３）
前記筐体は導電性を有し、
前記第２電極は、前記筐体と電気的に接続されている
上記（２）に記載の電気泳動素子。
（４）
前記筐体の底部に設けられた開口部と、
前記開口部を介して前記第１電極と電気的に接続された第１の端子部と、
前記筐体と電気的に接続された第２の端子部と
を有する
上記（３）に記載の電気泳動素子。
（５）
前記筐体の表面のうちの前記第２電極および前記第２の端子部との接点を除いた部分は、絶縁膜により覆われている
上記（４）に記載の電気泳動素子。
（６）
前記第１および第２の端子部は、前記筐体の同一面に配置されている
上記（４）または（５）に記載の電気泳動素子。
（７）
前記第１の端子部は、前記第１電極と一体的に構成されている
上記（４）ないし（６）のうちのいずれか１つの記載の電気泳動素子。
（８）
前記第１電極は、前記第１の端子部が前記筐体の開口部に嵌め込まれた状態で、前記筐体の底部に配置されている
上記（７）に記載の電気泳動素子。
（９）
前記第２の端子部は、前記筐体と一体的に構成されている
上記（４）ないし（８）のうちのいずれか１つに記載の電気泳動素子。
（１０）
１または複数の電気泳動素子を備え、
前記複数の電気泳動素子のそれぞれは、
筐体と、
前記筐体の内部に封止されると共に、泳動粒子を含む表示体と、
前記表示体に電圧を印加するための第１電極および第２電極と
を有する
表示装置。
（１１）
各電気泳動素子では、
前記筐体の上部を封止すると共に前記第２電極を有する基板を備え、
前記第１電極は、前記筐体内の底部に配置され、
前記第２電極は、前記基板の前記表示体の側に配置されている
上記（１０）に記載の表示装置。
（１２）
前記筐体は導電性を有し、
前記第２電極は、前記筐体と電気的に接続されている
上記（１１）に記載の表示装置。
（１３）
前記筐体の底部に設けられた開口部と、
前記開口部を介して前記第１電極と電気的に接続された第１の端子部と、
前記筐体と電気的に接続された第２の端子部と
を有する
上記（１２）に記載の表示装置。
（１４）
基材上に形成されると共に、互いに異なる電圧供給部に接続される第１および第２の配線を備え、
各電気泳動素子の前記第１の端子部は、前記第１および第２の配線のうちの一方の配線に接続され、前記第２の端子部は、前記第１および第２の端子部のうちの他方の配線に接続されている
上記（１３）に記載の表示装置。
（１５）
前記基材は、可撓性を有する
上記（１４）に記載の表示装置。
（１６）
基材上に形成されると共に、互いに異なる電圧供給部に接続される第１および第２の配線と、
それぞれが、泳動粒子を含む表示体と、前記表示体に電圧を印加するための第１電極および第２電極とを有する１または複数の表示ユニットと
を備え、
前記第１および第２の配線は全体として、複数の端子接続部を有し、
前記表示ユニットは、前記第１電極および前記第２電極に電気的に接続された第１および第２の端子部を有し、
前記第１および第２の端子部は、前記複数の端子接続部のうちの選択的な組み合わせの第１および第２の端子接続部に対して着脱可能に接続される
表示装置。
（１７）
前記第１および第２の端子部は、前記表示ユニットの回転によって、前記複数の端子接続部のそれぞれに対応する位置に対向するように配置されている
上記（１６）に記載の表示装置。
（１８）
前記第１および第２の端子部はそれぞれ、各表示ユニットの同一の面に設けられると共に、該面内において前記第１および第２の端子部を結ぶ線分が、前記第１および第２の配線の延在方向と平行となるか、または前記延在方向と交差するように、前記第１および第２の端子接続部に接続される
上記（１６）または（１７）に記載の表示装置。
（１９）
各表示ユニットの前記第１および第２の端子部が設けられる面の形状は、回転対称図形を有する
上記（１６）ないし（１８）のうちのいずれか１つに記載の表示装置。
（２０）
前記基材上形成されると共に、前記第１および第２の配線とは異なる電圧供給部に接続された第３の配線を更に備え、
前記表示ユニットは、前記第１電極の一部が電気的に分離されてなる電極部分と、前記電極部分に電気的に接続された第３の端子部とを有し、
前記第３の配線には、前記第３の端子部と着脱可能に接続される第３の端子接続部が設けられている
上記（１６）ないし（１９）のうちのいずれか１つに記載の表示装置。
【符号の説明】
【０１２３】
１，２…表示装置、１０…ＥＰＤチップ、１０Ａ…基材、１１，３１…筐体、１１ａ…絶縁膜、１１０…開口部、１２…第１電極、１２Ａ，１２Ｂ…第１端子部、１３…表示体、１４，３４…第２電極、１４Ａ，３４Ａ…第２端子部、１２Ｃ…電極部分、１２Ｄ…第３端子部、２０…基板、２１…配線シート、３０，３０Ａ，３０Ｂ，３０Ｃ，３０Ｄ…表示ユニット、３２…封止層、３３…接着層、１２０Ａ，１２０Ｂ…電圧供給部、１２１，１２１Ａ，１２２，１２２Ａ，２１０，２１０Ａ，２２０，２２０Ａ，２４０Ａ…配線、２３０…端子接続部、２３１…設置領域、Ｓ１…面。
【図１】
2017223830.tif 000003
【図２】
2017223830.tif 000004
【図３】
2017223830.tif 000005
【図４】
2017223830.tif 000006
【図５】
2017223830.tif 000007
【図６Ａ】
2017223830.tif 000008
【図６Ｂ】
2017223830.tif 000009
【図７】
2017223830.tif 000010
【図８】
2017223830.tif 000011
【図９】
2017223830.tif 000012
【図１０】
2017223830.tif 000013
【図１１】
2017223830.tif 000014
【図１２】
2017223830.tif 000015
【図１３】
2017223830.tif 000016
【図１４】
2017223830.tif 000017
【図１５】
2017223830.tif 000018
【図１６】
2017223830.tif 000019
【図１７】
2017223830.tif 000020
【図１８】
2017223830.tif 000021
【図１９】
2017223830.tif 000022
【図２０Ａ】
2017223830.tif 000023
【図２０Ｂ】
2017223830.tif 000024
【図２１Ａ】
2017223830.tif 000025
【図２１Ｂ】
2017223830.tif 000026
【図２１Ｃ】
2017223830.tif 000027
【図２２】
2017223830.tif 000028
【図２３】
2017223830.tif 000029
【図２４】
2017223830.tif 000030
【図２５】
2017223830.tif 000031
【図２６】
2017223830.tif 000032
【図２７】
2017223830.tif 000033
【図２８】
2017223830.tif 000034
【図２９Ａ】
2017223830.tif 000035
【図２９Ｂ】
2017223830.tif 000036
【図２９Ｃ】
2017223830.tif 000037
【図３０】
2017223830.tif 000038
【図３１】
2017223830.tif 000039
【図３２】
2017223830.tif 000040
【図３３Ａ】
2017223830.tif 000041
【図３３Ｂ】
2017223830.tif 000042
【図３４】
2017223830.tif 000043